(57)【要約】【課題】筐体外部の外気の変化に対する応答性が高く、筐体内の内部回路による影響を受けにくいセンサ内蔵機器を実現する。【解決手段】筐体内部にセンサを有し、筐体に設けられた通気口からこのセンサに外気を導入して物理量を測定するセンサ内蔵機器において、  前記筐体の隅のいずれかに前記センサが配置されるセンサ収納スペースを設け、このセンサ収納スペースを筐体内の他のスペースから仕切る隔壁を設けたことを特徴とする。【選択図】図１
2008089287.tif 000002
【特許請求の範囲】
【請求項１】
筐体内部にセンサを有し、筐体に設けられた通気口からこのセンサに外気を導入して物理量を測定するセンサ内蔵機器において、
前記筐体の隅のいずれかに前記センサが配置されるセンサ収納スペースを設け、このセンサ収納スペースを筐体内の他のスペースから仕切る隔壁を設けたことを特徴とするセンサ内蔵機器。
【請求項２】
前記通気口は、前記センサ収納スペースを囲む筐体外周面のうちの隣接する少なくとも２面上に設けられたことを特徴とする請求項１に記載のセンサ内蔵機器。
【請求項３】
前記隣接する２面は、前記筐体の上部面および側面、または下部面および側面であることを特徴とする請求項２に記載のセンサ内蔵機器。
【発明の詳細な説明】
【技術分野】
【０００１】
本発明は、温度センサ等のセンサを内蔵したワイヤレス送信装置などに適用可能なセンサ内蔵機器に関するものである。
【背景技術】
【０００２】
従来より、室内に設けられた空調装置等においては、運転・停止・温度設定等がワイヤレスの送信装置と受信装置によって行われている。空調装置側にワイヤレス受信装置が設けられ、ワイヤレス送信装置から送信されてくる送信情報に基づいて、空調装置の運転・停止・温度設定や風量制御等が行われる。
【０００３】
空調装置用のワイヤレス送信装置には、室内の温度を測定するために温度センサが設けられることが多くある。温度センサはワイヤレス送信装置の内部に設けられ、筐体に通気口を形成して温度センサに室内の空気を導く。
【０００４】
このような室内温度を測定するワイヤレス送信装置における温度センサの配置構造については、下記のような考案が提案されている。
【特許文献１】実開平５−８７４４５号公報
【特許文献２】実開昭６３−７２４４２号公報
【０００５】
特許文献１に記載の考案を図５に示す。特許文献１には、仕切壁１０５によって筐体１０２内部に空調された室内における気流に沿った空間１０６を設け、この空間１０６内に温湿度検出器１０３を配設し、空間１０６の上下面をセンサ用開口部１０４ａ，１０４ｂとして室内における気流を流す空調用設定器１０１が記載されている。
【０００６】
この考案では、仕切壁１０５によって仕切られた空間１０６にセンサを配置することによって筐体内の内部回路の発熱の影響を遮断できるという効果が考えられる。
【０００７】
特許文献２に記載の考案を図６に示す。また、特許文献２には、本体２０１内部に通路２０７を上、下方向に形成し、この通路２０７の上部側にリモコン内に設けられる発熱部品２０６を設けると共に、通路２０７の下部にセンサ２０３を設けた空気調和機のリモコンが記載されている。
【０００８】
この考案では、上下方向に形成した通路２０７において発熱部品２０６とセンサ２０３を離したことによって、センサ２０３が発熱部品２０７からの熱の影響を受けにくくなるという効果が考えられる。
【発明の開示】
【発明が解決しようとする課題】
【０００９】
しかしながら、特許文献１のような空調用設定器では、センサが設けられる断熱空間、すなわちセンサ収納スペースは、室内における気流に沿って形成されるため、空調用設定器の上下方向に貫通する。このため、センサを通る空気は空調用設定器の上部から下部までの長い距離を流れることになる。したがって、室内の温度変化に対しセンサ収納スペース内の温度変化の応答性が悪く、室内の温度変化が早い場合には正確な温度測定をすることができない。
【００１０】
また、特許文献２のようなリモコンも、センサが設けられる通路、すなわちセンサ収納スペースが上下方向に形成されるため、センサを通る空気はリモコンの上下方向の長い距離を流れる。そのため、特許文献１と同様に、室内の温度変化に対しセンサ収納スペース内の温度変化の応答性が悪く、室内の温度変化が早い場合には正確な温度測定をすることができない。
【００１１】
また、センサ収納スペースにおける空気の流れる経路の長短だけでなく、センサ収納スペースの容積がセンサ自体の大きさに対して大きすぎるような場合、すなわちセンサ収納スペースに余分な容積が存在するような場合には、室内の温度変化に対しセンサ収納スペースの温度変化の応答性が悪く、室内の温度変化が早い場合には正確な温度測定をすることができない。
【００１２】
本発明は、上記のような従来装置の欠点をなくし、筐体外部の外気の変化に対する応答性が高く、筐体内の内部回路による影響を受けにくいセンサ内蔵機器を実現することを目的としたものである。
【課題を解決するための手段】
【００１３】
上記のような目的を達成するために、本発明の請求項１では、筐体内部にセンサを有し、筐体に設けられた通気口からこのセンサに外気を導入して物理量を測定するセンサ内蔵機器において、
前記筐体の隅のいずれかに前記センサが配置されるセンサ収納スペースを設け、このセンサ収納スペースを筐体内の他のスペースから仕切る隔壁を設けたことを特徴とする。
【００１４】
請求項２では、請求項１に記載のセンサ内蔵機器において、前記通気口は、前記センサ収納スペースを囲む筐体外周面のうちの隣接する少なくとも２面上に設けられたことを特徴とする。
【００１５】
請求項３では、請求項２に記載のセンサ内蔵機器において、前記隣接する２面は、前記筐体の上部面および側面、または下部面および側面であることを特徴とする。
【発明の効果】
【００１６】
このように、筐体の隅のいずれかに前記センサが配置されるセンサ収納スペースを設けたことによって、筐体外部の外気の変化に対する応答性の高いセンサ内蔵機器を実現することができる。また、このセンサ収納スペースを筐体内の他のスペースから仕切る隔壁を設けたことによって、筐体内の内部回路による発熱の影響を受けにくくすることができる。
【００１７】
センサ収納スペースを筐体のコーナーに設けたことによって、外気をセンサに導く経路が短くなるとともに、センサ収納スペースの容積を小さく抑えることができ、外気の変化に対する応答性が高くなる。
なお、センサ収納スペースは筐体のどのコーナーに形成してもよい。さらに、センサ収納スペースを形成するコーナーは一ヶ所のみに限らず、センサが複数存在する場合など必要に応じて複数のコーナーに形成してもよい。
【００１８】
請求項２では、センサ収納スペースを囲む筐体外周面のうちの隣接する少なくとも２面上に通気口が設けられるため、隣接しない２面に通気口を設けた場合に比べ、外気がセンサ収納スペース内を通る経路が短くなり、外気の変化に対する応答性をより高めることができる。
【００１９】
請求項３では、通気口を設ける２面が上部面と側面、または下部面と側面であるため、前面および背面のデザインの自由度を確保したまま、上述の応答性の高さなどの効果をえることができる。
【発明を実施するための最良の形態】
【００２０】
以下、図面を用いて本発明のセンサ内蔵機器について説明する。
【実施例１】
【００２１】
図１は本発明のセンサ内蔵機器の一実施例を示す図であり、（ａ）は上面図、（ｂ）は前面図、（ｃ）は右側面図である。本実施例は空調装置のワイヤレス送信装置に本発明を適用した例である。直方体状の筐体１の前面には、空調装置のＯＮ／ＯＦＦを切り替える運転キーや設定温度を上げ下げするための室温設定キー、空調装置の設定状況や室内温度を表示可能な液晶表示部などが設けられている。筐体１の内部には、液晶表示部を制御する液晶表示装置やプリント配線板、電源、室温を測定する温度センサなどが収納される。
【００２２】
筐体１内部の右上コーナーに、温度センサ２を配置するセンサ収納スペース３を設ける。センサ収納スペース３は、筐体１内部において右上コーナー部分を他のスペースから仕切る隔壁４および筐体１外周面によって囲まれたスペースである。隔壁４は、筐体上面部から垂直に形成され、途中筐体右側面側に４５度ずつ２回に分けて折れ曲がり、右側面部に垂直に交わるように形成されている。隔壁４を挟んでセンサ収納スペース３の反対側のスペースには電源やプリント配線板などの発熱部品が配置される。センサ収納スペース３は隔壁４によって筐体１内部の他のスペースから熱的に遮断され、温度センサ２は発熱部品による熱の影響を受けない。
なお、温度センサ２と隔壁４は筐体１内部にあるため本来前面からは見えないが、説明のため図１（ｂ）中に示す。
【００２３】
センサ収納スペース３を囲む筐体１の外周面のうち、上面の壁面に通気口１１ａを、右側面の壁面に通気口１１ｂを設ける。これらの通気口によって外気がセンサ収納スペース３内に流通し、温度センサ２で外気の温度が測定できる。一方の通気口から流入した外気は、隔壁４によってもう一方の通気口に導かれる。例えば、図１（ｂ）中に矢印で示すように、右側面の通気口１１ｂから外気がセンサ収納スペース３に流入し、温度センサ２を経由して上面の通気口１１ａから筐体１の外に流出していく。なお、通気口１１ａ、１１ｂの形状は、図１（ａ）、（ｃ）ではスリット状であるが、特にこれに限定されるものではない。
【００２４】
センサ収納スペース３を筐体１のコーナーに設けたことによって、外気をセンサに導く経路が短くなり、また、温度センサ２が配置されるスペースの容積を小さく抑えることができるため、外気温度が変化した場合にセンサ収納スペース３内の温度が外気温度と一致するまでの期間が短くなる。そのため、外気の温度変化に対する温度センサ２の出力の応答が速くなる。
【００２５】
また、センサ収納スペース３を囲む壁面のうち上面部と側面部のように隣接する２面に通気口を設けたことによって、隣接しない２面（たとえば前面部と背面部）に通気口を設けた場合に比べ、外気が通気口から流入して他の通気口から流出するまでの経路が短くなる。そのため、センサ収納スペース３内を外気が循環するスピードが速くなり、外気の温度変化に対する温度センサ２の出力の応答が速くなる。
【００２６】
図２〜図４に本発明によるセンサ内蔵機器のバリエーションを示す。図２から図４に示したバリエーションを適宜組み合わせてセンサ内蔵機器を構成することができる。
【００２７】
図２はセンサ収納スペース３を囲む壁面のうち、通気口をどの隣接する２面に設けるかについて他の例を示す図である。
（ａ）はセンサ収納スペース３を囲む壁面のうち前面部と側面部の壁面に通気口１１ｃ，１１ｂを設けた例である。
（ｂ）はセンサ収納スペース３を囲む壁面のうち前面部と上面部の壁面に通気口１１ｃ，１１aを設けた例である。
（ｃ）はセンサ収納スペース３を囲む壁面のうち側面部と背面部の壁面に通気口１１ｂ，１１ｄを設けた例である。
（ｄ）はセンサ収納スペース３を囲む壁面のうち上面部と背面部の壁面に通気口１１ａ，１１ｄを設けた例である。
【００２８】
なお、図１に示すように、隣接する２面として側面部と上面部に通気口を設けた場合は、前面部および背面部のデザインに影響を与えることがないため、前面および背面のデザインの自由度を確保することができる。
【００２９】
図３は隔壁４およびセンサ収納スペース３の形状について他の例を示す図である。
（ａ）はセンサ収納スペース３が直方体状になるように隔壁（４ａ）を形成した例である。
（ｂ）はセンサ収納スペース３が三角柱状になるように隔壁（４ｂ）を形成した例である。
（ｃ）はセンサ収納スペース３が１／４円柱状になるように隔壁（４ｃ）を形成した例である。
（ｄ）はセンサ収納スペース３が三角錐状になるように隔壁（４ｄ）を形成した例である。
（ｅ）はセンサ収納スペース３がスプーンですくったような形状、あるいは１／８球体状になるように隔壁（４ｅ）を形成した例である。
【００３０】
図４はセンサ収納スペース３を設ける位置の他の例を示す図である。
（ａ）はセンサ収納スペースを筐体１の右下コーナーに形成した例である。
（ｂ）はセンサ収納スペースを筐体１の左下コーナーに形成した例である。
（ａ）（ｂ）のように、上面部と右側面部のコーナーに限らず、センサの種類やセンサ内蔵機器内部の部品配置などの関係で、センサ収納スペースを筐体１の下部に設けてもよい。
（ｃ）はセンサ収納スペースを複数のコーナーに形成した例である。センサ収納スペースは１ヶ所に限らず、センサの種類が多いような場合など必要に応じて複数のコーナーに設けてもよい。
【図面の簡単な説明】
【００３１】
【図１】図１は本発明のセンサ内蔵機器の一実施例を示す図。
【図２】図２センサ収納スペース３を囲む壁面のうち、通気口をどの隣接する２面に設けるかについて他の例を示す図。
【図３】図３隔壁４およびセンサ収納スペース３の形状について他の例を示す図。
【図４】図４はセンサ収納スペース３を設ける位置の他の例を示す図。
【図５】図５は従来のセンサ内蔵機器の一例を示す図。
【図６】図６は従来のセンサ内蔵機器の他の一例を示す図。
【符号の説明】
【００３２】
１      筐体
２      温度センサ
３      センサ収納スペース
４，４ａ〜４ｅ  隔壁
１１ａ〜１１ｄ  通気口
【図１】
2008089287.tif 000003
【図２】
2008089287.tif 000004
【図３】
2008089287.tif 000005
【図４】
2008089287.tif 000006
【図５】
2008089287.tif 000007
【図６】
2008089287.tif 000008